(57)【特許請求の範囲】
【請求項１】
容器本体の口部に装着され、ステムの押込みと復帰動作の繰り返しにより該容器本体に収容された内容物を吸引するポンプと、該ステムに装着されるとともに、該ポンプから送給される内容物の注出口を有する受皿とを備える受皿付きポンプ容器であって、
前記受皿は、
前記ステムの出口開口に通じる連通口を有し該ステムに保持される下皿と、
前記注出口を有し、該下皿との間で該連通口からの内容物を導く内部通路を形成すると共に、該内部通路の内容物を外周部で折り返して前記注出口へと導く頂壁を有する上皿と
を備えることを特徴とする受皿付きポンプ容器。
【請求項２】
前記下皿及び前記上皿の少なくとも一方は、他方に対して当接して前記内部通路を形成する溝を有する、請求項１に記載の受皿付きポンプ容器。
【請求項３】
前記外周部は、前記内部通路と前記注出口とを滑らかに接続する略円弧の内側面を有する、請求項１又は２に記載の受皿付きポンプ容器。
【請求項４】
前記注出口を前記上皿の同一半径位置に複数備える、請求項１〜３の何れか一項に記載の受皿付きポンプ容器。
【請求項５】
前記注出口は前記外周部の内周側に隣接して設けられ、前記上皿の内周方向に向けられて開口する、請求項１〜４の何れか一項に記載の受皿付きポンプ容器。
【請求項６】
前記受皿は、前記上皿を覆う蓋体と、該蓋体と該上皿とを連結するヒンジとを有する、請求項１〜５の何れか一項に記載の受皿付きポンプ容器。
【発明の詳細な説明】
【技術分野】
【０００１】
本発明は、容器本体の口部に装着されるポンプと、ポンプのステムに装着されるとともに内容物の注出口を有する受皿とを備える受皿付きポンプ容器に関するものである。
【背景技術】
【０００２】
従来、ポンプのステムに装着されるとともに内容物の注出口を有する受皿を備える受皿付きポンプ容器としては、例えば特許文献１に示されているものが知られている。このような受皿付きポンプ容器は、受皿の上面にコットンやパフ等の塗布用具を載せて塗布用具の上から指で押圧してポンプを駆動させ、受皿の注出口から注出される内容物を塗布用具にしみ込ませて使用することが一般的である。
【先行技術文献】
【特許文献】
【０００３】
【特許文献１】特開２００２−２５４０００号公報
【発明の概要】
【発明が解決しようとする課題】
【０００４】
ところでこのような受皿付きポンプ容器においては、指の当て加減によっては、注出口が指で塞がれ気味になってしまうため、狭くなった注出口から内容物が勢いよく注出されることがある。特に、特許文献１に示されるような、注出口がステムの出口開口に対して直上に位置するものにあっては、ステムの出口開口から吐出される内容物は、流れの勢いが殆ど弱まることなく注出口に向かうことになるため、内容物が勢いよく注出される現象が起こりやすくなる。このような状況下で、例えば比較的目が粗く厚みの薄い塗布用具を用いると、内容物が塗布用具を通り抜けて周囲に飛散してしまうことがあった。
【０００５】
本発明は、このような問題を解決することを課題とするものであり、その目的は、内容物を緩やかに注出させることができる、新規の受皿付きポンプ容器を提案するところにある。
【課題を解決するための手段】
【０００６】
本発明は、容器本体の口部に装着され、ステムの押込みと復帰動作の繰り返しにより該容器本体に収容された内容物を吸引するポンプと、該ステムに装着されるとともに、該ポンプから送給される内容物の注出口を有する受皿とを備える受皿付きポンプ容器であって、前記受皿は、前記ステムの出口開口に通じる連通口を有し該ステムに保持される下皿と、前記注出口を有し、該下皿との間で該連通口からの内容物を導く内部通路を形成すると共に、該内部通路の内容物を外周部で折り返して前記注出口へと導く頂壁を有する上皿とを備えることを特徴とする受皿付きポンプ容器である。
【０００７】
また、前記下皿及び前記上皿の少なくとも一方は、他方に対して当接して前記内部通路を形成する溝を有することが好ましい。
【０００８】
また、前記外周部は、前記内部通路と前記注出口とを滑らかに接続する略円弧の内側面を有することが好ましい。
【０００９】
また、前記注出口を前記上皿の同一半径位置に複数備えることが好ましい。
【００１０】
また、前記注出口は前記外周部の内周側に隣接して設けられ、前記上皿の内周方向に向けられて開口することが好ましい。
【００１１】
また、前記受皿は、前記上皿を覆う蓋体と、該蓋体と該上皿とを連結するヒンジとを有することが好ましい。
【発明の効果】
【００１２】
本発明の受皿は、ステムの出口開口に通じる連通口を有する下皿と、下皿との間で該連通口からの内容物を導く内部通路を形成すると共に、内部通路の内容物を外周部で折り返して注出口へと導く頂壁を有する上皿とを備えている。これにより、ステムの出口開口から送給される内容物は、内部通路で迂回し、外周部で折り返されてから注出されることになるので、流れの勢いが弱められることになる。このため、注出口から内容物を緩やかに注出させることができる。
【００１３】
また、下皿に内部通路を形成するためのリブを設けることにより、部品点数を増加させることなく内部通路を精度良く設けることができる。
【００１４】
また、外周部に、内部通路と注出口とを滑らかに接続する略円弧の面形状を形成することにより、外周部に導かれた内容物を滞留させることなく注出口から注出することができる。
【００１５】
また、注出口を上皿の同一半径位置に複数備えることにより、内容物を、上皿から偏りなく注出させることができる。
【００１６】
また、注出口が外周部の内周側に隣接して設けられ、上皿の内周方向に向けられて開口することにより、内容物が外周から中心に向かって注出されるので、外周側へ飛び散るおそれが無い。
【００１７】
また、受皿は、上皿を覆う蓋体と、蓋体と上皿とを連結するヒンジとを有するため、注出口と蓋体とを一体成型することができ、容器を安価に製造することができる。
【図面の簡単な説明】
【００１８】
【図１】本発明に従う受皿付きポンプ容器の一実施形態を示す、側面視での半断面図である。
【図２】切り欠き部の矢印Ｘに沿う向きでの斜視図である。
【図３】図１に示す受皿付きポンプ容器の平面図である。
【図４】図１に示す受皿付きポンプ容器の受皿部分の拡大図（通路溝断面）である。
【図５】図１に示す受皿付きポンプ容器の受皿部分の拡大図（注出口断面）である。
【発明を実施するための形態】
【００１９】
以下、図面を参照して、本発明をより具体的に説明する。なお、本明細書、特許請求の範囲、及び要約書において、「上」とは、受皿付きポンプ容器を水平面上に載置した姿勢（正立姿勢）において、容器本体に対して受皿が位置する側であり、「下」とは、その反対側である。
【００２０】
図１に示す本発明に従う受皿付きポンプ容器の一実施形態は、容器本体１０、ポンプ２０、ベースカバー３０、及び受皿４０を備えている。
【００２１】
容器本体１０は、中央部が上方に向けて突出するように湾曲する円板状の底部１１と、底部１１の縁部に連結し、上方に向けて緩やかに縮径する略円筒状の胴部１２と、胴部１２から更に上方に向けて急峻な勾配で縮径する肩部１３と、肩部１３に連結する円筒状の口部１４とを一体に連結し、その内側に内容物の収容空間Ｓを有するものである。また、口部１４の外周面には雄ねじ１５が設けられ、雄ねじ１５の下方には、縦リブ１６が設けられている。
【００２２】
ポンプ２０は、上部に径方向外側に延在するフランジ２１ａを有する円筒状のシリンダ２１を備えている。シリンダ２１の下部には、底部１１に向けて延在するパイプ２２が嵌合保持されている。
【００２３】
またシリンダ２１の内部には、シリンダ２１内への内容物の流入、停止を司るポペット弁２３と、ポペット弁２３の径方向外側に配されるコイルばね２４と、コイルばね２４にて上方に付勢されるとともに、内側に内容物の流路を備えるピストン保持具２５と、ピストン保持具２５の上方に設けられ、ピストン保持具２５に連結する管状のステム２６と、シリンダ２１の内周面に液密に当接し、ステム２６の押込みに伴いシリンダ２１内を加圧するピストン２７とが設けられている。シリンダ２１の上部開口には、ステム２６の上方への抜け出しを阻止するストッパ２８が嵌合保持されている。
【００２４】
また、フランジ２１ａの下面にはパッキン２９が設けられている。パッキン２９は、ポンプ２０を容器本体１０の口部１４に装着した際に、フランジ２１ａと口部１４との間で挟持されるものであり、これにより内容物の漏れ出しを防ぐことができる。なお、本発明に従うポンプ２０は、本実施形態のような構成になるものに限られず、種々のポンプを用いることができる。
【００２５】
ベースカバー３０は、口部１４及びステム２６を取り囲み上方にやや拡径した略円筒状の外筒３１を備えている。外筒３１の内面には、径方向内側に向けて延在するリング状の連結壁３２が設けられていて、連結壁３２の径方向内側には、有蓋筒状をなし、内面に雄ねじ１５に対応する雌ねじ３３を有する保持部３４が設けられている。雄ねじ１５に雌ねじ３３をねじ込むことで、ベースカバー３０は口部１４に保持される。この状態においてポンプ２０は、フランジ２１ａ及びパッキン２９が保持部３４と口部１４との間で挟まれて、口部１４に吊下げ保持される。連結壁３２の下面には、ねじ込み終了時に縦リブ１６に係合して、ベースカバー３０のねじの緩みを防止する緩み止めリブ３５が設けられている。また、保持部３４の上部には、上方に向けて伸延する環状壁３６が設けられている。
【００２６】
環状壁３６には、上方から下方へ向けて環状壁３６を切り欠く切り欠き部３７が設けられている。切り欠き部３７は、図２に示すように、上下方向に長く延在する長手切り欠き部３７ａと、長手切り欠き部３７ａに対して周方向に隣接して設けられる短手切り欠き部３７ｂとを備えている。
【００２７】
受皿４０は、下皿５０、上皿６０、蓋体７０を備えている。図１に示すように本実施形態では、上皿６０と蓋体７０とが、ヒンジ４２で一体に連結されている。なお、図１には、蓋体７０が開いた状態を二点鎖線で示している。
【００２８】
本実施形態における受皿４０は、上皿６０と蓋体７０とを個別に設けたものを用いることも可能であるが、本実施形態のようにこれらを一体に連結したものを用いることで、部品点数を減らすことができる。
【００２９】
図１に示すように下皿５０は、上面に向けて凹状になる、円弧状に湾曲した下側湾曲壁５１を備えている。下側湾曲壁５１の中央部には、ステム２６の出口開口２６ａに通じる連通口５１ａが設けられている。また連通口５１ａには、図３に示すように、周方向に間隔をあけて設けられ、後述する上皿６０の連結凸部６１ａに係合する連結リブ５１ｂが設けられている。なお、図３に断面記号ＡＡ及びＢＢを付した箇所の断面は、後程、図４及び図５として説明する。
【００３０】
図１に示すように下側湾曲壁５１の下面には、ステム２６の上端部外周面に嵌合保持される内周壁５２が設けられている。内周壁５２の径方向外側には、外周壁５３が設けられている。また、内周壁５２と外周壁５３との間には、径方向に沿って延在するストッパリブ５４が設けられている。ストッパリブ５４は、切り欠き部３７内に位置していて、ベースカバー３０に対して下皿５０を回転させることで、長手切り欠き部３７ａと短手切り欠き部３７ｂとの間で移動する。またストッパリブ５４の下端は、ステム２６が上昇した位置において、短手切り欠き部３７ｂの底部と略同じ高さにあり、ステム２６が下降した位置において、長手切り欠き部３７ａの底部よりも高い位置にある。すなわち、ストッパリブ５４が長手切り欠き部３７ａに位置する場合は、ポンプ２０の駆動が許容される状態になり、ストッパリブ５４が短手切り欠き部３７ｂ内に位置する場合は、ポンプ２０の駆動が不能になる状態にすることができる。
【００３１】
図４，５に示すように下側湾曲壁５１の上面は、後述する頂壁６１の下面に当接する。下側湾曲壁５１の上面には、通路溝５５が、図３に示すように中心から外周に向かって放射状に一定の角度間隔で１２本形成されている。下側湾曲壁５１の上面の内、この通路溝５５以外の部分が頂壁６１の下面と接触することにより、下皿５０の下側湾曲壁５１と、上皿６０の頂壁６１との間に内部通路Ｎが形成される。すなわち、内部通路Ｎは、下側湾曲壁５１と頂壁６１とに挟まれた、通路溝５５内の空間に形成される。
【００３２】
上皿６０は、上面に向けて凹状になるとともに連通口５１ａに対して間隔をあけて覆い被さる頂壁６１を備えている。頂壁６１の下面中央部には、下部を拡径させた段付きの円筒状をなし、連結リブ５１ｂに係合する連結凸部６１ａが設けられている。
【００３３】
頂壁６１は、下側湾曲壁５１からオフセットした円弧状の湾曲面を有しており、下側湾曲壁５１の通路溝５５以外の部分が頂壁６１と当接することにより、中心から外周まで概ね一定高さの内部通路Ｎが形成される。
【００３４】
また、頂壁６１は、図４に示すように、外周部６３において略円弧の内側面６４を有しており、この構成により内部通路Ｎからの内容物を外周部６３で折り返し、後述する注出口６２へと導くことができる。
【００３５】
そして、内部通路Ｎと、略円弧の内側面６４と、注出口６２とは、滑らかに曲率が変化するように接続されている。すなわち、図４，５に示すように、略円弧の内側面６４は、導入面６４ａ，円弧面６４ｂ、及び導出面６４ｃとを有する。
【００３６】
導入面６４ａは、内部通路Ｎと円弧面６４ｂとを橋渡しする部分であり、下側湾曲壁５１の曲率と円弧面６４ｂの曲率との間の曲率を有する面である。
【００３７】
円弧面６４ｂは、略円弧形状を有する面であり、内部通路Ｎからの内容物を折り返して注出口６２へと導く機能を有する。
【００３８】
導出面６４ｃは、円弧面６４ｂと注出口６２とを橋渡しする部分であり、円弧面６４ｂの曲率よりも小さな曲率を有する面である。
【００３９】
図５に示すように、注出口６２は、上皿６０の上面において外周部６３の内周側に隣接して設けられている。注出口６２は、図３に示すように連結凸部６１ａを中心として等間隔で設けられている。すなわち、注出口６２は、上皿６０の同一円周上に９０度の角度間隔で４箇所設けられている。また、注出口６２は図５から分かるように内周方向に向けて開口している。なお、注出口６２は１箇所であっても良いし、２以上の任意の複数箇所に設けられても良い。また注出口６２は、図３に示すように、円周上において通路溝５５を避けた位置に配置するのが好ましい。
【００４０】
蓋体７０は、円板状形状を有する天壁７１と、天壁７１の縁部から垂下される周壁７２とを備えている。また周壁７２には、天壁７１の中心軸線を挟んでヒンジ４２の反対側に、径方向外側に突出して円弧状をなす指掛け部７３が設けられている。
【００４１】
このような構成になる受皿付きポンプ容器から内容物を注出させるには、蓋体７０を開くとともに、受皿４０を回転させて、ストッパリブ５４が短手切り欠き部３７ｂに位置する状態（ポンプ２０の駆動が不能である状態）から、ストッパリブ５４が長手切り欠き部３７ａに位置する状態（ポンプ２０の駆動が許容される状態）に切り替える。
【００４２】
そして、コットンやパフ等の塗布用具を上皿６０に載せて、塗布用具を指で押さえるようにして上皿６０を押圧する。これによってステム２６が下降してポンプ２０が駆動され、内容物が出口開口２６ａから連通口５１ａへ送給され、内部通路Ｎを経由して外周部６３に到達する。そして、内容物は更に外周部６３内の略円弧の内側面６４で折り返されると共に円周上を通路溝５５の位置から注出口６２の位置まで移動し、注出口６２から注出される。すなわち出口開口２６ａから吐出される内容物は、内部通路Ｎを外周方向に迂回すると共に、外周部６３において折り返されると共に円周上を移動するように迂回してから注出される。従って、流れの勢いが多段階にわたって弱められることになるので、内容物を緩やかに注出させることができる。また、注出口６２を同一半径位置に複数設けているので、内容物は偏り無く分散して注出されることになり、内容物を更に緩やかに注出させることができる。
【００４３】
なお、下皿５０に設けた通路溝５５により内部通路Ｎを形成しているので、部品点数を増加させることなく内部通路Ｎを精度良く設けることができる。
【００４４】
また、外周部６３は、内部通路Ｎと注出口６２とを滑らかに接続する略円弧の内側面６４を有するため、外周部６３に導かれた内容物を滞留させることなく注出口６２から注出することができる。
【００４５】
また、注出口６２は上皿６０の内周方向に向けられて開口しているため、内容物が外周から中心に向かって注出され、外周側へ飛び散るおそれが無い。
【００４６】
また、上皿６０と蓋体７０とがヒンジ４２により連結されるため、注出口６２と蓋体７０とを一体成型することができ、容器を安価に製造することができる。
【００４７】
なお、本発明に従う受皿付きポンプ容器は、上述した実施形態に限定されるものではなく、特許請求の範囲に従う範囲で種々の変更が可能である。例えば、内部通路Ｎを形成するための通路溝を上皿６０に設け、通路溝以外の部分が下側湾曲壁５１に当接するように構成しても良い。また、通路溝が下皿５０及び上皿６０の双方に設けられ、通路溝以外の部分がお互いに当接し合うように構成しても良い。またポンプ２０の駆動又は非駆動を切り替える構成は、本実施形態のような切り欠き部３７とストッパリブ５４との組み合わせに限られるものではなく、受皿４０を押し下げ可能あるいは不能に切り替えることができる種々の構成を適用することができる。
【産業上の利用可能性】
【００４８】
本発明によれば、内容物を緩やかに注出させることができるので、注出させた内容物が塗布用具を通り抜けて周囲に飛散してしまう不具合を防止することができる、新たな受皿付きポンプ容器を提供することができる。
【符号の説明】
【００４９】
１０：容器本体
１１：底部
１２：胴部
１３：肩部
１４：口部
１５：雄ねじ
１６：縦リブ
２０：ポンプ
２１：シリンダ
２１ａ：フランジ
２２：パイプ
２３：ポペット弁
２４：コイルばね
２５：ピストン保持具
２６：ステム
２６ａ：出口開口
２７：ピストン
２８：ストッパ
２９：パッキン
３０：ベースカバー
３１：外筒
３２：連結壁
３３：雌ねじ
３４：保持部
３５：緩み止めリブ
３６：環状壁
３７：切り欠き部
３７ａ：長手切り欠き部
３７ｂ：短手切り欠き部
４０：受皿
４２：ヒンジ
５０：下皿
５１：下側湾曲壁
５１ａ：連通口
５１ｂ：連結リブ
５２：内周壁
５３：外周壁
５４：ストッパリブ
５５：通路溝（溝）
６０：上皿
６１：頂壁
６１ａ：連結凸部
６２：注出口
６３：外周部
６４：略円弧の内側面
６４ａ：導入面
６４ｂ：円弧面
６４ｃ：導出面
７０：蓋体
７１：天壁
７２：周壁
７３：指掛け部
Ｎ：内部通路
Ｓ：収容空間
【図１】
0006290061.tif 000002
【図２】
0006290061.tif 000003
【図３】
0006290061.tif 000004
【図４】
0006290061.tif 000005
【図５】
0006290061.tif 000006